(57)【要約】本明細書に記載する発明は、以下の反復単位を有するコポリマーを含む油溶性組成物：（i）少なくとも１種の疎水性に修飾した（アルク）アクリレート基から選択される、約 0.1 から 99.9 重量％の少なくとも１種のモノマー；並びに、（ii）少なくとも１種の官能基化または非官能基化したアクリロイル基および少なくとも１種のラクタム基から誘導される、約 0.1 から 99.9 重量％の少なくとも１種のモノマー；に関する。本明細書に記載する発明は、そのようなコポリマー、香りを送達するシステム、および香りを送達する方法を含む鉱物油溶性のパーソナルケアおよび香り組成物に関する。
2018536066.tif 000002
【特許請求の範囲】
【請求項１】
以下の反復単位を有するコポリマーを含む油溶性組成物：
（i）少なくとも１種の疎水性に修飾した（アルク）アクリレート基から選択される、約 0.1 から 99.9 重量％の少なくとも１種のモノマー；並びに、
（ii）少なくとも１種の官能基化または非官能基化したアクリロイル基および少なくとも１種のラクタム基から誘導される、約 0.1 から 99.9 重量％の少なくとも１種のモノマー。
【請求項２】
前記疎水性に修飾した（アルク）アクリレート基が、直鎖状または分枝鎖状の C8-C30 の官能基化または非官能基化したアルキル基を含む（アルク）アクリレート基である、請求項１に記載する油溶性組成物。
【請求項３】
前記直鎖状または分枝状の C8-C30 アルキル基が、ラウリルメタクリレート（ LMA ）、2-エチルヘキシルアクリレート、1,1,3,3-テトラメチルブチルアクリレート、1.1.-ジメチルヘキシルアクリレート、6-メチルヘプチルアクリレート、7-メチルオクチルアクリレート、2-プロピルヘプチルアクリレート、8-メチルノニルアクリレート、9-メチルデシルアクリレート、10-メチルウンデシルアクリレート、11-メチルドデシルアクリレート、12-メチルトリデシルアクリレート、13-メチルテトラデシルアクリレート、14-メチルペンタデシルアクリレート15-メチルヘキサデシルアクリレート、ステアリルメタクリレート、16-メチルヘプタデシルアクリレート、17-メチルオクタデシルアクリレート、2-エチルヘキシルメタクリレート、1,1,3,3-テトラメチルブチルメタクリレート、1,1-ジメチルヘキシルメタクリレート、6-メチルヘプチルメタクリレート、7-メチルオクチルメタクリレート、2-プロピルヘプチルメタクリレート、8-メチルノニルメタクリレート、9-メチルデシルメタクリレート、10-メチルウンデシルメタクリレート、11-メチルドデシルメタクリレート、12-メチルトリデシルメタクリレート、13-メチルテトラデシルメタクリレート、14-メチルペンタデシルメタクリレート、15-メチルヘキサデシルメタクリレート、16-メチルヘプタデシルメタクリレート、17-メチルオクタデシルメタクリレート、およびそれらの組合せからなる群から選択される、請求項２に記載する油溶性組成物。
【請求項４】
少なくとも１種の官能基化または非官能基化したアクリロイル基、および少なくとも１種のラクタム基から誘導される前記モノマーが、以下の（a1）から（a8）の構造を有する化合物から選択される、請求項１に記載する油溶性組成物。
【化１】
2018536066.tif 000033
【請求項５】
前記コポリマーが、以下の構造を有する化合物から選択されるものであって：
【化２】
2018536066.tif 000034
各 a および b は、各ポリマーの a および b の合計は 100 重量％に等しい、という条件付きで、前記ポリマーの約 0.1 から約 99.9 重量％の範囲にある独立して選択される値である、請求項１に記載する油溶性組成物。
【請求項６】
前記コポリマーが、任意選択的に、少なくとも１種の架橋剤から誘導される反復単位を含む、請求項１に記載する油溶性組成物。
【請求項７】
パーソナルケア組成物、スキンケア組成物、口腔ケア組成物、セメンチング流体組成物、油田組成物、建築組成物、整備流体組成物、砂利充填泥組成物、破砕流体組成物、仕上流体組成物、改修流体組成物、スペーサー流体組成物、掘削泥組成物、コーティング組成物、家庭用組成物、産業および施設用組成物、医薬組成物、食品組成物、殺生物剤組成物、接着剤組成物、インク組成物、研磨組成物、膜組成物、金属加工流体組成物、プラスチック組成物、繊維組成物、印刷組成物、潤滑剤組成物、保存料組成物、農薬組成物、衣類ケア組成物、洗濯組成物、表面洗浄組成物、皿洗い組成物、または木材ケア組成物である、請求項１に記載する油溶性組成物。
【請求項８】
（a）（i）少なくとも１種の疎水性に修飾した（アルク）アクリレート基から選択される、約 0.1 から 99.9 重量％の少なくとも１種のモノマー、並びに（ii）少なくとも１種の官能基化または非官能基化したアクリロイル基および少なくとも１種のラクタム基から誘導される、約 0.1 から 99.9 重量％の少なくとも１種のモノマー、の反復単位を有する約 0.1 から 約 99.9 重量％のコポリマー；並びに、
（b）約 0.1 から約 99.9 重量％の少なくとも１種の化粧品的に許容される添加剤
を含む、鉱物油溶解性のパーソナルケア組成物。
【請求項９】
サンケア組成物、フェイスケア組成物、リップケア組成物、アイケア組成物、スキンケア組成物、日焼け止め組成物、ボディケア組成物、ネイルケア組成物、老化防止組成物、昆虫忌避組成物、口腔ケア組成物、消臭組成物、 ヘアケア組成物、コンディショニング組成物、カラー化粧品組成物、着色防止組成物、セルフタンニング組成物、香り組成物またはフットケア組成物である、請求項８に記載するパーソナルケア組成物。
【請求項１０】
前記化粧品的に許容される添加剤が、脂肪物質、ゲル化剤、増粘剤、界面活性剤、保湿剤、皮膚軟化剤、親水性または親油性の活性剤、酸化防止剤、金属イオン封鎖剤、保存剤、酸性化剤または塩基性化剤、香料、充填剤、染料、乳化剤、溶剤、UV-A または UV-B ブロッカー／フィルター、植物抽出物、保湿剤、タンパク質、ペプチド、中和剤、溶媒、シリコーンおよび還元剤からなる群から選択される、請求項８に記載するパーソナルケア組成物。
【請求項１１】
（a）（i）少なくとも１種の疎水性に修飾した（アルク）アクリレート基から選択される、約 0.1 から 99.9 重量％の少なくとも１種のモノマー、並びに（ii）少なくとも１種の官能基化または非官能基化したアクリロイル基および少なくとも１種のラクタム基から誘導される、約 0.1 から 99.9 重量％の少なくとも１種のモノマー、の反復単位を有する約 0.1 から 約 99.9 重量％のコポリマー；並びに、
（b）約 0.1 から約 99.9 重量％の少なくとも１種の化粧品的に許容される添加剤
を含む、鉱物油溶性の香り組成物。
【請求項１２】
前記化粧品的に許容される添加剤が、脂肪物質、ゲル化剤、増粘剤、界面活性剤、保湿剤、皮膚軟化剤、親水性または親油性の活性剤、酸化防止剤、金属イオン封鎖剤、保存剤、酸性化剤または塩基性化剤、香料、充填剤、染料、乳化剤、溶剤、UV-A または UV-B ブロッカー/フィルター、植物抽出物、保湿剤、タンパク質、ペプチド、中和剤、溶媒、シリコーンおよび還元剤からなる群から選択される、請求項１１に記載する鉱物油溶性の香り組成物。
【請求項１３】
（a）以下の反復単位を有する約 0.1 から 約 99.9 重量％のコポリマー：
（i）少なくとも１種の疎水性に修飾した（アルク）アクリレート基から選択される、約 0.1 から 99.9 重量％の少なくとも１種のモノマー；並びに、
（ii）少なくとも１種の官能基化または非官能基化したアクリロイル基および少なくとも１種のラクタム基から誘導される、約 0.1 から 99.9 重量％の少なくとも１種のモノマー；並びに、
（b）約 0.1 から約 99.9 重量％の少なくとも１種の油をベースとした機能成分
を含む、油をベースとした機能成分を送達するシステム。
【請求項１４】
前記機能成分が香りである、請求項１３に記載する送達するシステム。
【請求項１５】
（a）約 1 から 約 25 重量％の、活性成分である香料；
（b）以下の反復単位を有するコポリマーを含む約 75 から 約 99 重量％の濃縮エマルジョン：
（i）少なくとも１種の疎水性に修飾した（アルク）アクリレート基から選択される、約 0.1 から 99.9 重量％の少なくとも１種のモノマー；並びに、
（ii）少なくとも１種の官能基化または非官能基化したアクリロイル基および少なくとも１種のラクタム基から誘導される、約 0.1 から 99.9 重量％の少なくとも１種のモノマー；並びに、
（c）水。
を含む、ケラチンをベースとした基体に香りを送達するシステム。
【請求項１６】
前記エマルジョンが、ナノエマルジョン、マイクロエマルジョンまたはミニエマルジョンである、請求項１５に記載する香りを送達するシステム。
【請求項１７】
少なくとも 8 時間持続して香りを徐々に放出する、請求項１５に記載する香りを送達するシステム。
【請求項１８】
（a）約 1 から 約 25 重量％の活性成分である香料；
（b）以下から誘導される反復単位を有するコポリマーを含む約 75 から 約 99 重量％のエマルジョン濃縮物：
（i）少なくとも１種の疎水性に修飾した（アルク）アクリレート基から選択される、約 0.1 から 99.9 重量％の少なくとも１種のモノマー；並びに、
（ii）少なくとも１種の官能基化または非官能基化したアクリロイル基および少なくとも１種のラクタム基から誘導される、約 0.1 から 99.9 重量％の少なくとも１種のモノマー；並びに、
（c）水
を含む、ヘアケア用シャンプーから香りを送達する組成物。
【請求項１９】
前記シャンプーがツーインワン（2-in-1）シャンプーまたはスリーインワン（3-in-1）シャンプーである、請求項１８に記載の方法。
【発明の詳細な説明】
【技術分野】
【０００１】
本出願は、少なくとも１種の疎水性に修飾した（アルク）アクリレート基から選択される第１のモノマーと、少なくとも１種の官能基化または非官能基化したアクリロイル基および少なくとも１種のラクタム基とを有する第２のモノマー、との反復単位を有するコポリマーを含む油溶性の組成物に関するものであり、更には、疎水性ベースである機能性成分を送達するシステムとして、そのような油溶性の組成物を使用することに関する。
【背景技術】
【０００２】
種々の基体上に活性成分や機能成分を効果的にかつ制御して放出する多くの試みがなされている。このような試みの１つは制御放出技術に関するものであり、その技術によって、油をベースとした機能性成分を送達することで、香りをベースとした化合物を送達することができるようになる。ヘアケア製品において香りを送達するということは、利用可能性、コスト、香り成分と目的の製品または組成物中の他の共存成分との相性、および毛髪表面上に付着または吸着し、洗浄並びにすすぎをしても毛髪表面に残ることができる香り成分の性能等を考慮しなければならない。さらに、香料は界面活性剤のミセルに結合しているので、大量の香りが、洗浄、すすぎまたは乾燥のプロセスの過程でしばしば失われ、毛髪を風乾するときでさえ失われる。ポリマー担体材料表面上に吸着させた香り分子を含む香りを送達するシステムの使用についても研究されてきている。しかしながら、香りの放出速度は一貫していない。したがって、より長期間安定で効果的に香りを送達する系が求められている。
【０００３】
イーストマン・コダック（Eastman Kodak Company）に帰属する米国特許第 2,882,262 号は、N-（アクリロキシアルキル）-2-ピロリドンおよびN-（メタクリロキシアルキル）-2-ピロリドン、それらのポリマー、並びにそれらの製造方法を開示している。 このポリマーは、写真技術において有用である。
【０００４】
GAF コーポレーションに帰属する米国特許第 3,406,238 号は、トイレタリーおよび化粧品組成物中、特にスキンケアについて、香りを送達することに関する N-メタクリロイロキシエチルピロリドンを開示している。
【０００５】
BASF SE に帰属する米国特許出願公開第 2010/0166985 号は、N-ヒドロキシアルキル化ラクタム単位を含む（メタ）アクリル酸エステルのポリマーの水性分散液を開示しており、前記モノマーと共重合した C1-C18 アルキルアクリレート単位、並びにスチレン、アクリロニトリル、メタクリロニトリルおよびメチルメタクリレートから選択されるモノマー、並びにこれらの組成物を紙、紙製品およびインクジェット用紙の表面処理に使うことを開示している。
【０００６】
上記を考慮すると、香りを送達するシステムおよび組成物に対するニーズが存在するが、それは（i）香りを一貫した方法で送達しうるものであり；（ii）安定して効果的に香りを送達するシステムであって；（iii）望ましくはより長く効果的に持続するというものである。
【発明の概要】
【発明が解決しようとする課題】
【０００７】
本出願の第１の目的は、（i）疎水性に修飾した（アルク）アクリレート基から選択される第１のモノマー、並びに（ii）アクリロイルおよびラクタム基の反復単位を有する第２のモノマー、から誘導されるコポリマーを含む油溶性組成物を提供することである。
【０００８】
本出願の１つの態様は、以下の反復単位のコポリマーを含む油溶性組成物を提供することである：
（ I ）少なくとも１種の疎水性に修飾した（アルク）アクリレート基から選択される、約 0.1 から 99.9 重量％、好ましくは 10 から 90 重量％の少なくとも１種のモノマー；並びに
（ ii ）少なくとも１種の官能基化又は非官能基化したアクリロイル基および少なくとも１種のラクタム基から誘導される、約0.1 から 99.9 重量％、好ましくは 10 から 90 重量％の少なくとも１種のモノマー。
【０００９】
本出願の１つの具体的な態様によれば、コポリマーは、ラウリル（メタ）アクリレート−ヒドロキシエチルピロリドンメタクリレートのコポリマーである。ここで、前記「ヒドロキシエチルピロリドンメタクリレート」は、当業者に「N-（2-ヒドロキシエチル）ピロリドンメタクリレート」の同義語として知られていて、CAS番号：946-25-8 である。
【００１０】
【化１】
2018536066.tif 000003
【００１１】
別の態様では、本出願は、特には、鉱物油溶性のパーソナルケア組成物であって、以下を含むものを提供する：
（a）以下の反復単位を有する約 0.1 から 約 99.9 重量％のコポリマー：
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー；並びに、
（b）約 0.1 から約 99.9 重量％の少なくとも１種の薬学的または化粧品的に許容される添加剤。
【００１２】
別の重要な態様では、本出願は、鉱物油溶性の香り組成物であって、以下を含むものを提供する：
（a）以下の反復単位を有する約 0.1 から 約 99.9 重量％のコポリマー：
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー；並びに、
（b）約 0.1 から約 99.9 重量％の少なくとも１種の薬学的または化粧品的に許容される添加剤。
【００１３】
別の態様では、本出願は、鉱物油溶性の機能性成分を送達するシステムであって、以下を含むものを提供する：
（a）以下の反復単位を有する約 0.1 から 約 99.9 重量％のコポリマー：
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー；並びに、
（b）約 0.1 から約 99.9 重量％の少なくとも１種の油溶性の機能成分。
【００１４】
さらに別の態様では、本出願は、ケラチンをベースとした基体に香りを送達するシステムであって、以下を含むものを提供する： 
（a）約 1 から 25 重量％の、活性成分である香料
（b）以下に由来する反復単位を有するコポリマーを含む約 75 から 99 ％のエマルジョン濃縮物：
（i）少なくとも１種の疎水性に修飾した（アルク）アクリレート基から選択される、約 0.1 〜 99 重量％、好ましくは 10 〜 90 重量％の少なくとも１種のモノマー；並びに、
（ii）少なくとも１種の官能基化または非官能基化したアクリロイル基および少なくとも１種のラクタム基から誘導される、約 0.1 〜 99 重量％、好ましくは 10 〜 90 重量％の少なくとも１種のモノマー；並びに、
（iii）組成物を構成するのに必要な量の水。
【００１５】
１つの重要な態様によれば、本出願での所望のエマルジョンは、ナノエマルション、マイクロエマルジョン、またはミニエマルジョンのことがあり、界面活性剤、またはシャンプー、ボディーウォッシュおよびリンスオフコンディショナーから選択される界面活性剤系の混合物と組み合わされる。
【００１６】
さらに別の態様では、本出願は、香り物質を徐々に送達することを可能にし、それによって香りが少なくとも約 8 時間持続することを可能にする上述のコポリマーを含む鉱物油溶性組成物を提供する。
【００１７】
さらに別の態様では、本出願は、ヘアケア用シャンプーから香りを送達する方法であって、当該シャンプーは以下を含むものを提供する：
（a）約 1 から 25 重量％の、活性成分である香料
（b）以下に由来する反復単位を有するコポリマーを含む約 75 から 99 ％のエマルジョン濃縮物：並びに、
（i）少なくとも１種の疎水性に修飾した（アルク）アクリレート基から選択される、約 0.1 〜 99.9 重量％、好ましくは 10 〜 90 重量％の少なくとも１種のモノマー；
（ii）少なくとも１種の官能基化または非官能基化したアクリロイル基及び少なくとも１種のラクタム基から誘導される、約 0.1 〜 99.9 重量％、好ましくは 10 〜 90 重量％の少なくとも1種のモノマー；並びに、
（iii）必要な量の水
【図面の簡単な説明】
【００１８】
本出願のさらなる実施形態は、添付の図面と共に理解されうる。
【図１】図１は、本発明のシャンプー組成物から発せられる長く持続する香りの効果を示す。
【図２】図２は、本発明のシャンプー組成物と対照物についてのパネル研究での対比比較を示す。
【発明を実施するための形態】
【００１９】
本明細書は、特許を受けようとする発明を明確に特定する特許請求の範囲で締めくくられるが、以下の発明の詳細な説明、およびそこに記載された実施例の研究を読むことによって、本発明をより容易に理解できると考えられる。
【００２０】
本願発明の特徴または制限に対して単数形で説明する全てのことは、他に明記されていない限り、または説明がなされた文脈によって反対のことが明確に示唆されない限り、対応する特徴または制限の複数形も含むものとする。その逆も同様である。
【００２１】
本明細書で使用する数値範囲は、具体的に開示されるか否かにかかわらず、その範囲内に含まれる全ての数および数字のサブセットを含むことが意図される。さらに、これらの数値範囲は、その範囲内の任意の数または数字のサブセットを目的とした請求項をサポートするものと解釈されるべきである。
【００２２】
本明細書において、前記発明の「１つの実施形態（one embodiment）」、「１つの態様（one aspect）」、「１つのバージョン（one version）」または「１つの目的（one objective）」という記載は、もし、その文脈からそうではない旨明確に示唆されていなければ、そのような実施形態、態様、バージョンまたは目的の１つまたは複数を含むことができる。
【００２３】
本明細書で使用する場合、用語「アルキル」は、官能基化または非官能基化した１価の直鎖、分枝鎖または環状の C1-C60 基であり、任意選択的に、１個又は複数のヘテロ原子を有するものをいう。特に、アルキルは C1-C45基、より具体的には C1-C30 基である。 アルキル基の非限定的な例としては、メチル基、エチル基、n-プロピル基、イソプロピル基、n-ブチル基、イソブチル基、tert-ブチル基、シクロブチル基、n-ペンチル基、イソペンチル基、シクロペンチル基、n-ヘキシル基、シクロヘキシル基、n-ヘプチル基、シクリヘプチル基、メチルシクロヘキシル基、n-オクチル基、2-エチルヘキシル基、tert-オクチル基、イソノルボルニル基、n-ドデシル基、tert-ドデシル基、n-テトラデシル基、n-ヘキサデシル基、n-オクタデシル基、n-エイコシル基等を含む。「アルキル」の定義には、直鎖、分岐鎖および/または環状構造の組み合わせによって得られる基も含まれる。
【００２４】
本明細書で使用する場合、用語「（アルク）アクリレート」は、アクリル酸、またはメタクリル酸のようなアクリル酸アルキルをいう。
【００２５】
本明細書で使用する場合、用語「含む（comprising）」は、重要な成分が適切な形態および濃度で存在するという条件のもとで、様々な任意選択的で相性の良い配合要素が、本明細書の組成物中で使用されうることをいう。したがって、用語「含む（comprising）」は、開示される組成物の必須成分を特徴づけるために使用されうる、より限定的な用語「からなる（consisting of）」および「から本質的になる（consisting essentially of）」を包含し、含む。
【００２６】
本明細書で使用する場合、用語「コポリマー」は、２種類の反復構造単位（モノマー）を必須としてなるポリマーのことをいう。この定義には、溶媒付加物を有するコポリマーが含まれる。
【００２７】
本明細書で使用する場合、用語「官能基化した」は、当業者に知られている１つ又は複数の官能基化反応によって、１種又は複数種の官能基が導入されたある部分の状態をいう。特に、部分の官能基化は、当業者に知られている１つ又は複数の官能基を変換する。更に、官能基化反応の非限定的な例は、エポキシ化、スルホン化、加水分解、アミド化、エステル化、ヒドロキシル化、ジヒドロキシ化、アミノ化、アンモノリシス、アシル化、ニトロ化、酸化、脱水、脱離、水和、脱水素、水素化、アセタール化、ハロゲン化、脱ハロゲン化水素化、マイケル付加、アルドール縮合、カニッツァロ反応（Cannizzaro reaction）、マンニッヒ反応、クライゼン縮合（Claisen condensation）、鈴木カップリングなどを含む。
【００２８】
本明細書で使用する場合、用語「HEPMA」は、「ヒドロキシエチルピロリドンメタクリレート」、N-（2-ヒドロキシエチル）ピロリドンメタクリレート、ヒドロキシエチルピロリドンメタクリレートまたはピロリドニルエチルメタクリレート（PyEMA）のことをいい、本出願では、それは同義で使用され、その同じ構造（CAS 番号：946-25-8）は以下の通りである：
【００２９】
【化２】
2018536066.tif 000004
【００３０】
本明細書で使用する場合、用語「疎水性構造（hydrophobe）」は、25 ℃で約 1 重量％未満の水への溶解度を有するモノマーのことをいう。
【００３１】
本明細書中で使用する場合、用語「疎水性に修飾した」は、疎水性構造（hydrophobe）によって置換したモノマー、コポリマーまたはポリマー中にある官能基のことをいう。
【００３２】
本明細書中で使用する場合、用語「ケラチン基体」は、ヒトケラチン表面のことをいい、皮膚、爪、およびケラチン繊維を含み、「ケラチン繊維」は、頭髪、まつ毛、および眉毛および他の哺乳動物の体毛を意味する。
【００３３】
本明細書中で使用する場合、用語「LMA」は「ラウリルメチルアクリレート」のことをいう。
【００３４】
本明細書中で使用する場合、用語「部分（moiety）」は、分子の一部又は官能基のことをいう。
【００３５】
本明細書で使用する場合、用語「油」は、所望の活性成分、好ましくは香り成分の可溶化を促進または可能にし、0.5 から 6.5の範囲の log P またはオクタノール/水分配係数を有する任意の油または任意の溶媒のことをいう。油の原料は、鉱油（石油）原料を含み、トリグリセリドを含まない長鎖炭化水素の混合物のこともある。溶媒は、アルコール、テルペン、ニトリル、エーテル、アミド、エステル、ケトン、直鎖または環状ヒドロカルノンなどのこともある。
【００３６】
本明細書で使用する場合、用語「ポリマー」は、共有結合によって連結した反復構造単位（モノマー）を含む化合物のことをいう。その定義にはオリゴマーが含まれる。ポリマーは、さらに誘導体化（例えば加水分解による）、架橋、グラフト化またはエンドキャップ化されることがある。ポリマーの非限定的な例は、コポリマー、三元ポリマー（terpolymers）、四元ポリマー（quaternary polymers）、および同族体を含む。ポリマーは、ランダム、ブロック、交互ポリマー、またはランダム、ブロックおよび/または交互構造が混合したポリマーであってもよい。ポリマーはさらに溶媒付加物と会合していてもよい。
【００３７】
本明細書で使用する場合、用語「多分散指数」または「PDI」は、混合物中の分子または粒子のサイズの不均一性の尺度のことをいい、重合度についての分子量のこともいう。
【００３８】
本明細書中で使用する場合、用語「香水および香料（perfumes and fragrances）」は、典型的には、「香り（fragrance）」として知られるものを生じる、ヒトの嗅覚部位と反応する成分を含む。香水香り（perfume fragrances）を含む典型的な分子は、直鎖および環状アルケン、すなわちテルペン、第一級、第二級および 第三級アルコール、ニトリル、エーテル、飽和および不飽和アルデヒド、エステル、ケトン並びにそれらの混合物である。
【００３９】
本明細書で使用する場合、用語「パーソナルケア組成物」および「化粧品」は、皮膚用組成物、サンケア組成物、毛髪用組成物、口腔用組成物、化粧品組成物、および保存料組成物のような人体上での使用を意図した組成物のことをいい、皮膚と毛髪の色や外観を変えるような組成物が含まれる。
【００４０】
本明細書で使用する場合、用語「薬学的に許容される」または「化粧品的に許容される」は、一般に安全とみなされる分子実体および組成物のことをいう。特に、本明細書で使用する場合、用語「薬学的に許容される」または「化粧品的に許容される」は、適切な政府機関の規制機関によって承認されるか、または動物、特にヒトで使用するために、米国薬局方または他の一般に認められている薬局方に収載されていることを意味する。
【００４１】
本明細書で使用する全ての百分率（percentages）、比率（ratio）および比率（proportions）は、特に明記しない限り重量基準である。
【００４２】
本明細書に記載しているものは、以下の反復単位を有するコポリマーを含む油溶性組成物である：
（i）少なくとも１種の疎水性に修飾した（アルク）アクリレート基から選択される、約 10 から 90 重量%の少なくとも１種のモノマー；並びに、
（ii）少なくとも１種の官能基化または非官能基化したアクリロイル基および少なくとも１種のラクタム基から誘導される、約 30 から 70 重量％の少なくとも１種のモノマー。
更に、香料などの油をベースとした機能性成分を濃くするための前記油溶性組成物の用途を記載する。
【００４３】
非限定的な実施形態によれば、本出願は、以下のものから誘導される反復単位のコポリマーを含む鉱物油溶性の組成物を提供する：
（i）少なくとも１種の疎水性に修飾した（アルク）アクリレート基から選択される、約 10 から 90 重量%の少なくとも１種のモノマー；並びに、
（ii）少なくとも１種の官能基化または非官能基化したアクリロイル基および少なくとも１種のラクタム基から誘導される、約 30 〜 70 重量％の少なくとも1種のモノマー。
【００４４】
別の非限定的な実施形態によれば、疎水性に修飾した（アルク）アクリレート基とは、疎水性構造（hydrophobe）を含むアクリレート化合物をいう。前記疎水性構造（hydrophobe）は、官能基化または非官能基化した C4-C30 炭素の炭素鎖長を有する直鎖または長鎖の脂肪族、脂環式、芳香族または複素環アルキル基のことがある。
【００４５】
限定されるものではないが、例えば、疎水性に修飾した（アルク）アクリレート基の例には以下のものが含まれる：
（メタ）アクリル酸または以下を包含する（メタ）アクリレート：
長鎖および短鎖のアルキル（メタ）アクリレート（例えば、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、t-ブチル（メタ）アクリレート、ペンチル（メタ）アクリレート、イソアミル（メタ）アクリレート、、ヘキシル（メタ）アクリレート、ヘプチル（メタ）アクリレート、オクチル（メタ）アクリレート、イソオクチル（メタ）アクリレート、2-エチルヘキシル（メタ）アクリレート、ノニル（メタ）アクリレート、デシル（メタ）アクリレート、イソデシル（メタ）アクリレート、アンデシル（メタ）アクリレート、ドデシル（メタ）アクリレート、ラウリル（メタ）アクリレート、オクタデシル（メタ）アクリレートおよびステアリル（メタ）アクリレート等）；
アルコキシアルキル（メタ）アクリレート、特にd-アルコキシd-アルキル（メタ）アクリレート（例えば、ブトキシエチルアクリレートおよびエトキシエトキシエチルアクリレート）；
アリロキシアルキル（メタ）アクリレート、特にアリロキシ C4 アルキル（メタ）アクリレート（例えば、フェノキシエチルアクリレート（例えば、Ageflex、チバ・スペシャルティ・ケミカルズ（Ciba Specialty Chemicals））；
単環式および多環式環状芳香族または非芳香族アクリレート（例えば、シクロヘキシルアクリレート、ベンジルアクリレート、ジシクロペンタジエンアクリレート、ジシクロペンタニルアクリレート、トリシクロデカニルアクリレート、ボルニルアクリレート、イソボルニルアクリレート（例えば、Ageflex IBOA、チバ・スペシャルティ・ケミカルズ（Ciba Specialty Chemicals））、テトラヒドロフルフリルアクリレート（例えば、SR285、サートマー・カンパニー（Sartomer Company, Inc.））、カプロラクトンアクリレート（例えば、SR495、サートマー・カンパニー（Sartomer Company, Inc.））およびアクリロイルモルフォリン等）；
アルコール系（メタ）アクリレート（例えば、ポリエチレングリコールモノアクリレート、ポリプロピレングリコールモノアクリレート、メトキシエチレングリコールアクリレート、メトキシポリプロピレングリコールアクリレート、メトキシポリエチレングリコールアクリレート、エトキシジエチレングリコールアクリレート等）、および各種アルコキシル化アルキルフェノールアクリレート（例えば、エトキシル化（4）ノニルフェノールアクリレート（例えば、Photomer4003 、ヘンケル（Henkel Corp.）））；
（メタ）アクリル酸アミド類（例えば、ジアセトンアクリルアミド、イソブトキシメチルアクリルアミドおよび t-オクチルアクリルアミド等）；
多官能性不飽和酸のエステル（例えば、マレイン酸エステルおよびフマル酸エステル等）。
疎水性に修飾した（アルク）アクリレートの好ましい例には、ラウリル（メタ）アクリレート、エチルヘキシル（メタ）アクリレートおよびステアリル（メタ）アクリレートを含まれる。
【００４６】
本出願の１つの重要な実施形態によれば、前記コポリマーは、以下の構造を有する少なくとも１種の官能基化または非官能基化したアクリロイル基および少なくとも１種のラクタム基から誘導される第２のモノマーを含む：
【化３】
2018536066.tif 000005
ここで、各R1、R2 および R3 は、水素、ハロゲン、官能基化および非官能基化した C1-C4 アルキル、および
【化４】
2018536066.tif 000006
の群から独立して選択される；
各 X は、OR4、OM、ハロゲン、N(R5)(R6)、
【化５】
2018536066.tif 000007
から誘導される群およびそれらの組み合わせから独立して選択される；
各 Y は独立して酸素、NR7、または硫黄である；
各 R4、R5、R6、およびR7 は水素および官能基化並びに非官能基化したアルキルから誘導される群から独立して選択される；
各 M は金属イオン、アンモニウムイオン、有機アンモニウムカチオンおよびそれらの組み合わせから誘導される群から独立して選択される；
各 Q1、Q2、Q3、および Q4 は官能基化および非官能基化したアルキレンから誘導される群から独立して選択される。
【００４７】
特に、各 Q1、Q2、Q3、および Q4 は官能基化および非官能基化した C1 - C12 アルキレンから誘導される群から独立して選択される。特に、アルキレン基の非限定的な例には、-CH2-. -CH2-CH2-, -CH(CH3)-CH2-, -CH2-CH(CH3)-, -C(CH3)2-CH2-, -CH2-C(CH3)2-, -CH(CH3)-CH(CH3)-, -C(CH3)2-C(CH3)2-, -CH2-CH2-CH2-, -CH(CH3)-CH2-CH2-, -CH2-CH(CH3)-CH2-, -CH2-CH2-CH(CH3)-, -CH2-CH2-CH2-CH2-, -CH2-CH2-CH2-CH2-CH2-, -CH2-CH2-CH2-CH2-CH2-CH2-, および -CH2-CH2-CH2-CH2-CH2-CH2-CH2- が含まれる。
【００４８】
１つの非限定的な実施形態において、各 R1、R2 および R3 は、水素、メチルおよびそれらの組み合わせからなる群から独立して選択される。 特に、R1 および R2 は水素であり、R3 は水素またはメチルである。
【００４９】
別の非限定的な実施形態において、各 R1 および R3 は、独立して水素またはメチルであり；
R2 は
【化６】
2018536066.tif 000008
であり；
X は OR4、OM、ハロゲン並びにN(R5)(R6) から誘導される群からで選択され；
ここで、各 R4、R5 および R6 は水素および官能基化並びに非官能基化したアルキルからなる群から独立して選択される；並びに、
各 M は、金属イオン、アンモニウムイオン、有機アンモニウムカチオンおよびそれらの組み合わせからなる群から独立して選択される。
【００５０】
特に、R1 および R3 は水素であり、R2 は
【化７】
2018536066.tif 000009
である；
X は、OR4、OM 並びに N(R5)(R6) からなる群から選択される；
各 R4、R5 および R6 は水素および官能基化並びに非官能基化した C1-C4 アルキルからなる群から独立して選択される；並びに
各 M は金属イオン、アンモニウムイオン、有機アンモニウムカチオンおよびそれらの組み合わせからなる群から独立して選択される。
【００５１】
構造式（1）で定義される第１の重合可能単位は、当該分野で知られた方法（例えば、N-ヒドロキシルアルキルラクタムとアクリレート、（メタ）アクリレート、無水物または同様の化合物との反応）を用いて合成することができる。製造方法には、米国特許第 2,882,262 号；5,523,340 号；6,369,163 号；米国特許出願公開第 2007/123673 号；英国特許第 924,623 号；930,668 号；および 1,404,989 号；国際公開第 03/006569 号公報；欧州特許第 385918 号に記載されている製造方法が含まれる。先の開示の各々は、参照によりその全体が本明細書に組み込まれる。
【００５２】
構造式（2）〜（57）に示されるラクタム基含有モノマーは、N-ヒドロキシアルキルラクタムおよび不飽和カルボン酸、アクリレート、（メタ）アクリレートまたは無水物を含む縮合反応から得ることができる。適切な N-ヒドロキシアルキルラクタムとしては、N-ヒドロキシメチルピロリドンとカプロラクタム、N-ヒドロキシエチルピロリドンとカプロラクタム、および N-ヒドロキシプロピルピロリドンとカプロラクタムが含まれる。使用することができるカルボン酸の非限定的な例には、アクリル酸、メタクリル酸、イタコン酸、クロトン酸、フマル酸、コハク酸およびマレイン酸が含まれる。同様に、アクリレートおよび（メタ）アクリレートには、メチル、エチル、ブチル、オクチル、エチルヘキシルアクリレートおよびそれらの（メタ）アクリレート類似体が含まれる（これらに限定されない）。代表的な無水物には、無水ギ酸、無水コハク酸、無水マレイン酸および無水酢酸が含まれる。
【００５３】
特定の実施形態では、少なくとも１種の官能基化または非官能基化したアクリロイル基および少なくとも１種のラクタム基を有するモノマーは、以下からなる群から選択される構造を有する：
【化８−１】
2018536066.tif 000010
【化８−２】
2018536066.tif 000011
【化８−３】
2018536066.tif 000012
【化８−４】
2018536066.tif 000013
【００５４】
官能基化または非官能基化したアクリロイル基および少なくとも１種のラクタム基に関する他の適切な例は、国際公開第 2011 / 063208 号に見出すことができ、その開示はその全体が参照により本明細書に組み込まれる。
【００５５】
本出願の別の重要な実施形態によれば、前記コポリマーは、以下の反復単位を有する：
（i）2-エチルヘキシルアクリレート、2-エチルヘキシルメタアクリレート、N-2-エチルヘキシルアクリルアミド、N-2-エチルヘキシルメタクリルアミド、およびそれらの組み合わせから選択される、約 40 から約 80 重量％の少なくとも１種の第１のモノマー；並びに、
（ii）下記構造（a1）〜（a8）：
【化９】
2018536066.tif 000014
およびこれらの組み合わせから誘導される群から選択される構造を有する約 20 から 約 60 重量％の少なくとも１種の第２のモノマー。
【００５６】
本出願の別の重要な実施形態によれば、本出願のコポリマーは、以下からなる群から選択される構造を有する：
【化１０】
2018536066.tif 000015
ここで、各 a および b は、各ポリマーの a および b の合計は 100 重量％に等しい、という条件付きで、前記ポリマーの約 0.1 から約 99.9 重量％の範囲にある独立して選択される値である。
【００５７】
本出願の別の重要な実施形態によれば、コポリマーは、以下の構造を有するラウリル（メタ）アクリレート−ヒドロキシエチルピロリドンメタクリレートコポリマーである。
【化１１】
2018536066.tif 000016
【００５８】
コポリマーは鉱物油に可溶性であり、少なくとも約 10,000 から 約800,000 ダルトンの平均分子量を有する。分子量の他の好ましい範囲は、約 120000 から約 150,000、約 150,000 から約 200,000、約 200,000 から約 250000、約 250,000 から約 300000 である。特に、本発明で使用するラウリルメタクリレートは、異なる範囲の分子量を有するが、それは以下から選択される、約 600,000 から 約 650,000；約 700,000 から約 750,000；約 350,000 から約 400,000、約 500,000 から550,000；約 200,000 から 約 240,000：約 150,000 から約 160,000；約 70,000 から 75,000；約 175,000 から約 185,000；約 200,000；約 300,000 から約 320,000；約 20,000；および約 500,000 から約 550,000 である。モノマーであるラウリル（メタ）アクリレートおよびヒドロキシエチルピロリドンメタクリレートは、それぞれ、約 90/10、10/90、25/75、75/25、80/20、20/80、60/40、40/60 および 50/50 の異なる重量比で存在する。
【００５９】
所望の反復単位を調製するため、または本出願のコポリマーを調製するために少なくとも１種の架橋剤として任意選択的に使用する具体的なモノマーは、以下から選択することができる：
エチレングリコール、1,3-プロパンジオール、1,4-ブタンジオール、1,5-ペンタンジオール、1,6-ヘキサンジオール、1,7-ヘプタンジオール、1,8-オクタンジオール、1,9-ノナンジオール、1,10-デカンジオール、1,11-ユニデカンジオール、1,12-ドデカンジオールおよびこれらの組み合わせから誘導される群から選択される化合物のジビニルエーテル；
ジエチレングリコール、トリエチレングリコール、テトラエチレングリコール、ペンタエチレングリコール、ヘキサエチレングリコール、ヘプタエチレングリコールオクタエチレングリコール、ノナエチレングリコール、デカエチレングリコールおよびポリアルキレングリコールのジビニルエーテル；
メチレンビス（メタ）アクリルアミド；
エチレングリコールジ（メタ）アクリレート；
ブタンジオールジ（メタ）アクリレート；
テトラエチレングリコールジ（メタ）アクリレート；
ポリエチレングリコールジ（メタ）アクリレート；
ジプロピレングリコールジアリルエーテル；
ポリグリコールジアリルエーテル；
ヒドロキノンジアリルエーテル；
トリメチロールプロパントリ（メタ）アクリレート；
トリメチロールプロパンジアリルエーテル；
ペンタエリスリトールトリアリルエーテル；
アリル（メタ）アクリレート；
トリアリルシアヌレート；
ジアリルマレート；
ポリアリルエステル；
テトラアリロキシエタン；
トリアリルアミン；
テトラアリルエチレンジアミン；
ジビニルベンゼン；
グリシジル（メタ）アクリレート；
1,7-オクタジエン；
1,9-デカジエン；
1,13-テトラデカジエン；
ジビニルベンゼン；
ジアリルフタレート；
トリアリル-1,3,5-トリアジン-2,4,6(1H,3H,5H)-トリオン；
N, N’-ジビニルイミダゾリドン；
1-ビニル-3(E)-エチリデンピロリドン；
2,4,6-トリアリロキシ-1,3,5-トリアジン；
およびこれらの組み合わせ。
【００６０】
本出願の一実施形態によれば、前記組成物はそのまま使用することができ、または所望のタイプの製品形態をもたらすために他の成分と配合することができる。
【００６１】
本出願の1つの重要な実施形態によれば、本出願の組成物を可溶化するために使用する適切な油は、LogP 値またはオクタノール/水分配係数が約 0.5 から 約 6.5 である任意の油または溶媒から具体的に選択される。ここで、LogP 値は非イオン化種の親油性のことをいい、親油性はイオン化可能な化合物について pH に応じて変化する。0.5 から 6.5 の LogP 値を有する油または溶媒の非限定的な例には、鉱物油（4.7 から 6）、ジエチルエーテル（0.83）、p-ジクロロベンゼン（4.61）、2,2’,4,4’-ペンタクロロフェニル（6.41）、フェノキシエタノール（1.08-1.1）、ペパーミント油（2.9 から 3.2）、スペアミント油（2.5 から 3.0）、ユーカリプトール（3.22）、Ｓ−リモネン（4.46）、Ｓ−メントール（3.20）、メントン（2.63）、メンチルアセテート（4.10）、ピネンアルファ（ 4.46 ）、ピネンベータ（ 4.37 ）、アルコールＣ１０（デカノール）（ 4.06 ）、アネトール（ 3.17 ）、ユーゲノール（ 2.79 ）、ヘキシルシンナミックアルデヒド（ 4.67 ）、イオノンベータ（ 3.91 ）、メチルサリシレート（ 2.40 ）、ターピニルプロピオネート（ 4.245 ）、イソドデカン（ LogP 6.16 ）、イソドデカン、ヒドロキシシトロネラール（ 4.216 ）、水素化ジデセン、水素化ジドデセン、水素化ポリデセン、水素化ポリドデセン、水素化トリドデセン、水素化ポリイソブテン、及びこれらの２つ以上の混合物が含まれる。0.7 から 1.3 の LogP 値を有する溶媒には、ベンジルアルコール、シス-3-ヘキセノール、フェニルエチルアルコール、メチルベンジルアルコール、アニシルアルコール、イソアミルアルコール、4-ヘキセン-1-オール、フェノキシエタノール、フェノキシプロパンジオール、トリメチル-1,3-ペンタンジオール、クロルフェネシン、エチルヘキシルグリセリン、カプリリルグリコール、グリセリルカプリレート、ヘキサンジオール、1,2-ヘキサンジオール、エチルヘキサンジオール、ペンチレングリコール、オクタンジオール、ヒドロキシプロピルメタクリレート、トリエチルシトレートまたはそれらの混合物が含まれる。また、ジメチコンタイプの線状シリコーン、環状シリコーンまたはそれらの混合物から選択されるシリコーンが考えられる。
【００６２】
本出願の別の重要な実施形態によれば、油溶性組成物は、パーソナルケア組成物、セメンチング流体組成物、油田組成物、建築組成物、整備流体組成物（servicing fluid composition）、砂利充填泥組成物、破砕流体組成物、仕上げ流体組成物、改修流体組成物、スペーサー流体組成物、掘削泥組成物、コーティング組成物、家庭用組成物、産業および施設用組成物、医薬組成物、食品組成物、殺生物剤組成物、接着剤組成物、インク組成物、紙組成物、研磨組成物、膜組成物、金属加工流体組成物、プラスチック組成物、繊維組成物、印刷組成物、潤滑剤組成物、保存料組成物、農薬組成物、または木材ケア組成物である。特に、非水性組成物は、パーソナルケア組成物、コーティング組成物、家庭用組成物、産業および施設用組成物、医薬組成物または農業用組成物である。より具体的には、非水性組成物はパーソナルケア組成物である。
【００６３】
本出願の別の重要な実施形態によれば、鉱物油溶性組成物は、パーソナルケア組成物であって、以下の反復単位を有するコポリマーを含む：
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー。
【００６４】
本出願の１つの重要な実施形態によれば、鉱物油溶性パーソナルケア組成物は、サンケア組成物、フェイスケア組成物、リップケア組成物、アイケア組成物、スキンケア組成物、アフターサン組成物、 ボディケア組成物、ネイルケア組成物、老化防止組成物、昆虫忌避組成物、口腔ケア組成物、消臭組成物、ヘアケア組成物、コンディショニング組成物、カラー化粧品組成物、着色防止組成物、セルフタンニング組成物、香り組成物またはフットケア組成物である。
【００６５】
本出願の別の重要な実施形態によれば、組成物は、少なくとも１つの薬学的または化粧品的に許容される成分をさらに含む。本明細書で使用する「化粧品上許容される成分」とは、パーソナルケア組成物において他の望ましい効果を生み出すために典型的に使用するあらゆる成分/化合物、成分/化合物の混合物または組成物を意味する。限定するものではないが、好ましい化粧品上許容される添加剤には、保存料、酸化防止剤、キレート剤、日焼け止め剤、タンパク質、アミノ酸、ビタミン、染料、毛染め剤、植物抽出物（plant extracts）、植物派生物（plant derivatives）、植物組織抽出物、植物種子抽出物、植物油、植物（botanicals）、植物抽出物（botanical extracts）、湿潤剤、香料、香水、油、皮膚軟化剤、潤滑剤、バター、浸透剤、増粘剤、粘度調整剤、増粘剤、ポリマー、樹脂、毛髪固定剤、フィルム形成剤、界面活性剤、洗剤、乳化剤、乳白剤、揮発性物質、噴射剤、液体ビヒクル、担体、塩、pH調整剤、中和剤、緩衝剤、ヘアコンディショニング剤、帯電防止剤、縮れ防止剤、ふけ防止剤、ヘアウェービング剤、縮毛矯正剤、リラクサー、吸収剤、脂肪物質、ゲル化剤、保湿剤、親水性または親油性活性剤、保存剤、充填剤、染料、還元剤、化粧品油、香水、液体ビヒクル、溶媒、担体、シリコーン、およびそれらの組み合わせが含まれる。特に、化粧品として許容される成分は、油、ワックス、トリグリセリド、脂肪エステル、脂肪アミド、脂肪族炭化水素、およびそれらの組み合わせから誘導される群から選択することができる。
【００６６】
コンディショニング剤は、合成油、鉱油、植物油、フルオロ化またはパーフルオロ化油、天然または合成ワックス、シリコーン、カチオンポリマー、タンパク質および加水分解タンパク質、カチオン界面活性剤、セラミドタイプ化合物、脂肪アミン、脂肪酸およびその誘導体並びにこれらの異なるタイプの化合物の混合物から選択することができる。
【００６７】
界面活性剤をベースとしたコンディショニング剤には、コカミドプロピルベタイン、ヤシ油、加水分解動物タンパク質、ケラチン、コラーゲンなどが含まれる。
【００６８】
カチオン性ポリマーの好適な非限定的な例には、アクリルアミドプロピルトリモニウムクロリド（APTAC）、ポリクオタニウム-22、ポリAPTAC、グアーヒドロキシプロピルトリモニウムクロリド、ジアリルジメチルアンモニウムクロリド／アクリル酸コポリマー、APTAC／アクリルアミドコポリマーなどから選択される四元カチオンポリマーが含まれる。
【００６９】
アニオン性界面活性剤の好適な非限定的な例には、硫酸塩、スルホン酸塩、カルボン酸塩アニオン系界面活性剤、エーテル硫酸塩、エトキシ硫酸塩、プロポキシ硫酸塩、C32H65O-PO7-EO6-SO3- 、C12-15-3EO硫酸塩、C12-15-12EO硫酸塩、C16-17-7PO 硫酸塩、C13-7PO 硫酸塩、C16-18-7PO-5EO 硫酸塩、C20-7PO-10EO 硫酸塩、パーフルオロオクタノエート（PFOA または PFO）、パーフルオロオクタンスルホネート（PFOS）、ドデシル硫酸ナトリウム（SDS）、ラウリル硫酸アンモニウム、アルキル硫酸塩、ラウリルエーテル硫酸ナトリウム（SLES）、アルキルベンゼンスルホン酸塩、石鹸、脂肪酸塩、またはそれらの組み合わせが含まれる。
【００７０】
防腐剤の好適な非限定的な例には、塩化ナトリウム、塩化カリウム、塩化カルシウム、アスコルビン酸、クエン酸、ソルビン酸カリウムなどが含まれる。
【００７１】
本出願の別の重要な実施形態によれば、油をベースとした機能成分を送達するシステムは以下のものを含む：
（a）（i）少なくとも１種の疎水性に修飾した（アルク）アクリレート基から選択される、約0.1 から 99.9、好ましくは 10 から 90 重量％ の少なくとも１種のモノマー；並びに（ii）少なくとも１種の官能基化または非官能基化したアクリロイル基および少なくとも１種のラクタム基から誘導される、約 0.1 から 99.9、好ましくは 10 から 90 重量％の少なくとも１種のモノマー、の反復単位を有する約 0.1 から 約 99.9 重量％のコポリマー；並びに、
（b）約0.1 から約99.9重量％の少なくとも1種の油溶性機能性成分。
【００７２】
これに基づき、機能性成分は、好ましくは、以下の非限定的なパーソナルケア組成物、例えばシャンプー、バスジェル、消臭スプレー、ろうそく、毛髪染料、毛髪漂白剤から選択される反応性ヘアケア組成物、臭気中和剤または悪臭中和剤などにメリットとなるように添加する香り成分である。
【００７３】
本出願の別の重要な実施形態によれば、皮膚または毛髪のようなケラチンをベースとした基体に香りを送達するシステムが提供され、以下のことを含む：
（a）約 1 から 25 重量％の、活性成分である香料；
（b）以下の反復単位を有するコポリマーを含む約 75 から 99 重量％のエマルジョン濃縮物：
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー；並びに、
（c）必要な量の水。
【００７４】
これに基づき、前記送達するシステムは活性成分、好ましくは毛髪、皮膚または爪のようなケラチンベースの基体表面上に香り成分を送達することを含む。いかなる香りを送達するシステムであってもその理想とする目的とは、その物品について予め設定された寿命期間にわたって香りを一貫して放出することである。その中で、そのような一貫して放出することを、「線状放出」と呼び、消費者が、物品から放出された香りが、物品の予め設定された寿命期間を通して質および強度において同一であると知覚する、というコンセプトで表現される。実際には、この理想を実現するのは困難である。なぜなら、香り組成物の香料は異なる蒸気圧を有し、その香料の匂いを知覚する閾値がヒトによって異なるからである。加えて、芳香を送達するエンジン・システムを設計する上で重要なことであるが、消費者は様々な芳香化学物質を検出するのに、その能力が異なり、異なる環境条件の影響（例えば、温度、空気の流れ、湿度、放出空間の体積など）によってこの問題が悪化する。
【００７５】
本出願の香料としては、芳香油、植物抽出物、無水物、樹脂状物質、樹脂、コンクリート、炭化水素、アルコール、アルデヒド、ケトン、エーテル、エステル、アセタール、ケタール、ニトリル、これらの飽和および不飽和化合物など、並びに脂肪族、カルボン酸および複素環式化合物、から１つまたは複数を選択することができる。限定されるものではないが、好適な香料には、本願発明では、アーモンド、リンゴ、チェリー、ブドウ、ナシ、パイナップル、オレンジ、イチゴ、ラズベリーのような果実；じゃ香、ラベンダー様、バラ様、アヤメ様、カーネーション様などの花の香り；ローズマリー、タイムおよびセージなどのハーブの香り；松、トウヒ、その他の森林の香りに由来する森林地帯の香り；芳香油またはペパーミント、スペアミントなどの植物材料からの油、ベビーパウダー、ポップコーン、ピザ、コットンキャンディーなどのその他よく知られ、多くの人が好む匂い等、が含まれる。香料の天然抽出物には、アカシア、キンゴウカン、シプレー、シクラメン、シダ、クチナシ、サンザシ、ヘリオトープ、ハニーサックル、ヒヤシンス、ジャスミン、ライラック、ユリ、マグノリア、ミモザ、スイセン、新鮮な干し草、オレンジの花、ラン、モクセイソウ、スイートピー、シロツメクサ、チューベロース、バニラ、スミレ、アラセイトウ、その他、が含まれる。
【００７６】
パーソナルケアのための界面活性剤系の最も一般的な製品形態は、シャンプーおよびバスジェルである。香料は添加剤とみなすことができ、その臨界ミセル濃度（CMC）への効果は粘度に影響する。ミセルの形状は、３つのパラメータ：ミセルコア内で疎水性基が占める体積、コア中の疎水性基の長さ、およびミセル表面で親水性基が占める面積、の間の関係によって決まる。香料中の個々の芳香化学物質は、界面活性剤系の異なる領域に分配される。ある物質はミセルのコアに移動し、またある物質は疎水性の尾部に沿って整列し、またある物質はミセル表面の近くにあるようになり、そして、少量が外部の水相に存在するように分配される。ミセルの数、形状並びにサイズ、および外部相において濃度が何であれ濃くなること、により系の粘度が決まる。香料材料は、これらのパラメータのいずれをも変えることができ、したがって、粘度を増加または減少させることができる。
【００７７】
いかなる特定の理論にも束縛されることを望むものではないが、ラウリルメタクリレートおよびヒドロキシエチルピロリドンメタクリレートを含む本出願のポリマーは、香りと結合し、ミセル中には存在しないと考えられる。ラウリル（メタ）アクリレートおよびエチルヘキシルメタクリレートは毛髪表面で安定である。したがって、このポリマー／香り複合体によって、少なくとも約 8 時間持続する香りの徐放が可能になる。香りは、カチオン性または両性ポリマーの有無にかかわらず送達されうる。しかしながら、カチオン性または両性コポリマーが存在することが好ましい。本出願のコポリマーは、香りを含む増粘組成物を提供することができ、界面活性剤系では、香りはポリマー相中に選択的に分配される。カチオン性または両性ポリマーと組み合わさると、本出願のコポリマーは、高レベルで付着することができるようになる。さらに、このようなコポリマーは、香り成分の蒸気圧を低下させず、従って香りは所望により長期間持続する。さらに、ポリマー／界面活性剤相は香りの蒸気圧を完全に低下させず、したがって、ケラチン基体上に付着または吸着した香りを徐々に放出するようになる。好適なカチオン性または両性ポリマーとしては、0.1 から 5 重量％、好ましくは 0.5 から 2 重量％の量で存在する（DMAPMA/APTAC/MA）、（APTAC／アクリルアミド）および（DMAPMA/MA）（ジメチルアミノプロピルメタクリル酸／メタクリル酸）が含まれる。
【００７８】
一つの実施形態では、本出願の香りを送達するシステムは、シャンプー、ボディーウォッシュ、およびリンスオフコンディショナーに関連する界面活性剤系と組み合わせた場合、ナノエマルジョン、マイクロエマルジョンまたはミニエマルジョンの形態でのことがある。
【００７９】
シャンプーベースの組成物に使用する場合、ラウリル（メタ）アクリレート−ヒドロキシメチルピロリドンアクリレートのコポリマーを含む油溶性組成物は、シャンプーの香り成分に効果的に結合し、香りを徐々に放出し、それにより香りが少なくとも 8 時間より長く持続することができるようになる。
【００８０】
本出願のさらに別の重要な実施形態は、ヘアケア用シャンプーから香りを送達する方法であって、当該シャンプーは以下を含む：
（a）約1 から約 25 重量％の、活性成分である香料、
（b）以下の反復単位を有するコポリマーの 75 から 99 重量％のエマルジョン濃縮物:
（i）少なくとも１種の疎水性に修飾した（アルク）アクリレート基から選択される、約 0.1 から 99.9 重量％、好ましくは 10 から 90 重量％の少なくとも１種のモノマー；並びに、
（ii）少なくとも１種の官能基化または非官能基化したアクリロイル基および少なくとも１種のラクタム基から誘導される、約 0.1 から 99.9 重量％、好ましくは 10 から 90 重量％の少なくとも１種のモノマー；並びに、
（c）必要な量の水。
【００８１】
さらに、本願発明の特定の態様を、以下の実施例によって詳細に説明する。これらの実施例は、本発明の特定の態様の説明のために本明細書中に記載されており、本発明を限定するものではない。
【実施例】
【００８２】
（実施例１−７）ラウリルメタクリレート（80 重量％）／ヒドロキシエチルピロリドンメタクリレート（20 重量％）のコポリマー
100 g の t-ブタノール中にラウリルメタクリレート（12 g）、ヒドロキシエチル−ピロリドンメタクリレート（3 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびヒドロキシエチル−ピロリドンメタクリレートの供給を開始した。ラウリルメタクリレート（108 g）を 1 時間かけて供給し、ヒドロキシエチル−ピロリドンメタクリレート（27 g）と t-ブタノール（50 g）を 2 時間かけて供給した。1 時間毎に残りの新しい開始剤を加えた。供給が完了したら、追加の開始剤を毎時に添加しながらその反応を 4 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。ポリマー溶液は、t-ブタノール反応溶媒をストリッピングし、使いやすい送達溶媒（最も好ましくはイソヘキサデカン）に交換することで、溶媒交換をする。
【００８３】
（実施例８）ラウリルメタクリレート（60 重量％）／ヒドロキシエチルピロリドンメタクリレートのコポリマー（40 重量％）
100 g の t-ブタノール中にラウリルメタクリレート（9 g）、ヒドロキシエチル−ピロリドンメタクリレート（6 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびヒドロキシエチル−ピロリドンメタクリレートの供給を開始した。ラウリルメタクリレート（81 g）を 1 時間かけて供給し、ヒドロキシエチル−ピロリドンメタクリレート（54 g）と t-ブタノール（50 g）を 2 時間かけて供給した。1 時間毎に残りの新しい開始剤を加えた。供給が完了したら、追加の開始剤を毎時に添加しながらその反応を 4 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。ポリマー溶液は、t-ブタノール反応溶媒をストリッピングし、使いやすい送達溶媒（最も好ましくはイソヘキサデカン）に交換することで、溶媒交換をする。
【００８４】
（実施例９）ラウリルメタクリレート（40 重量％）／ヒドロキシエチルピロリドンメタクリレートのコポリマー（60 重量％）
100 g の t-ブタノール中にラウリルメタクリレート（6 g）、ヒドロキシエチル−ピロリドンメタクリレート（9 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびヒドロキシエチル−ピロリドンメタクリレートの供給を開始した。ラウリルメタクリレート（54 g）を 1 時間かけて供給し、ヒドロキシエチル−ピロリドンメタクリレート（81 g）と t-ブタノール（50 g）を 2 時間かけて供給した。1 時間毎に残りの新しい開始剤を加えた。供給が完了したら、追加の開始剤を毎時に添加しながらその反応を 4 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。ポリマー溶液は、t-ブタノール反応溶媒をストリッピングし、使いやすい送達溶媒（最も好ましくはイソヘキサデカン）に交換することで、溶媒交換をする。
【００８５】
（実施例１０）ラウリルメタクリレート（90 重量％）／ヒドロキシエチルピロリドンメタクリレートのコポリマー（10 重量％）
125 g の t-ブタノール中にラウリルメタクリレート（13.5 g）、ヒドロキシエチル−ピロリドンメタクリレート（1.5 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびヒドロキシエチル−ピロリドンメタクリレートの供給を開始した。ラウリルメタクリレート（121.5 g）を 1 時間かけて供給し、ヒドロキシエチル−ピロリドンメタクリレート（13.5 g）と t-ブタノール（50 g）を 2 時間かけて供給した。1 時間毎に残りの新しい開始剤を加えた。供給が完了したら、追加の開始剤を毎時に添加しながらその反応を 5 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。
【００８６】
（実施例１１）ラウリルメタクリレート（10 重量％）／ヒドロキシエチルピロリドンメタクリレートのコポリマー（90 重量％）
125 g の t-ブタノール中にラウリルメタクリレート（2.25 g）、ヒドロキシエチル−ピロリドンメタクリレート（13.5 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびヒドロキシエチル−ピロリドンメタクリレートの供給を開始した。ラウリルメタクリレート（12.75 g）を 1 時間かけて供給し、ヒドロキシエチル−ピロリドンメタクリレート（121.5 g）と t-ブタノール（50 g）を 2 時間かけて供給した。1 時間毎に残りの新しい開始剤を加えた。供給が完了したら、追加の開始剤を毎時に添加しながらその反応を 5 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。
【００８７】
（比較例Ａ）ラウリルメタクリレートホモポリマー（100 重量％）
100 g の t-ブタノール中にラウリルメタクリレート（20 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよび残りの t-ブタノールの供給を開始した。ラウリルメタクリレート（130 g）と t-ブタノール（50 g）を 2 時間かけて供給した。1 時間毎に残りの新しい開始剤を加えた。供給が完了したら、追加の開始剤を毎時に添加しながらその反応を 5 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。ポリマー溶液は、t-ブタノール反応溶媒をストリッピングし、使いやすい送達溶媒（最も好ましくはイソヘキサデカン）に交換することで、溶媒交換をする。
【００８８】
（実施例１３）ステアリルメタクリレート（80 重量％）／ヒドロキシエチルピロリドンメタクリレート（20 重量％）
125 g の t-ブタノール中にステアリルメタクリレート（12 g）、ヒドロキシエチル−ピロリドンメタクリレート（3 g）を含むヒール（heel）を反応器に添加し、窒素で３回パージ（purge）してその反応系を脱酸素化した。次いで、このヒール（heel）溶液を 80 ℃に加熱し、開始剤の一部を加え、ステアリルメタクリレートおよびヒドロキシエチル−ピロリドンメタクリレートの供給を開始した。ステアリルメタクリレート（108 g）を 1 時間かけて供給し、ヒドロキシエチル−ピロリドンメタクリレート（27 g）と t-ブタノール（50 g）を 2 時間かけて供給した。1 時間毎に残りの新しい開始剤を加えた。供給が完了したら、追加の開始剤を毎時に添加しながらその反応を 5 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。
【００８９】
（実施例１４−１７）エチルヘキシルメタクリレート（80 重量％）／ヒドロキシエチルピロリドンメタクリレート（20 重量％）
100 g の t-ブタノール中にエチルヘキシルメタクリレート（12 g）、ヒドロキシエチル−ピロリドンメタクリレート（3 g）を含むヒール（heel）を反応器に添加し、窒素で３回パージ（purge）してその反応系を脱酸素化した。次いで、このヒール（heel）溶液を 80 ℃に加熱し、開始剤の一部を加え、エチルヘキシルメタクリレートおよびヒドロキシエチル−ピロリドンメタクリレートの供給を開始した。エチルヘキシルメタクリレート（108 g）を 1 時間かけて供給し、ヒドロキシエチル−ピロリドンメタクリレート（27 g）と t-ブタノール（50 g）を 2 時間かけて供給した。1 時間毎に残りの新しい開始剤を加えた。供給が完了したら、追加の開始剤を毎時に添加しながらその反応を 4 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。
【００９０】
（比較例Ｂ）ラウリルメタクリレート（80 重量％）／ビニルピロリドン（20 重量％）
100 g の t-ブタノール中にラウリルメタクリレート（12 g）、ビニルピロリドン（3 g）を含むヒール（heel）を反応器に添加し、窒素で３回パージ（purge）してその反応系を脱酸素化した。次いで、このヒール（heel）溶液を 80 ℃に加熱し、開始剤の一部を加え、ラウリルメタクリレートおよびビニルピロリドンの供給を開始した。ラウリルメタクリレート（108 g）を 1 時間かけて供給し、ビニルピロリドン（27 g）と t-ブタノール（50 g）を 2 時間かけて供給した。1 時間毎に残りの新しい開始剤を加えた。供給が完了したら、追加の開始剤を毎時に添加しながらその反応を 4 時間以上持続した。次いで、その反応物を 90 ℃に加熱し、12 時間そのまま保持した。得られたポリマー溶液を 35 ℃に冷却し、前記反応器から取り出した。粘稠で無色透明なポリマーの溶液が得られる。ポリマー溶液は、t-ブタノール反応溶媒をストリッピングし、使いやすい送達溶媒（最も好ましくはイソヘキサデカン）に交換することで、溶媒交換をする。
【００９１】
油溶性組成物
【００９２】
【表１】
2018536066.tif 000017
【００９３】
シャンプー系に取り込ませたポリマー。
【００９４】
匂いの強さを以下の表２に挙げたスコア化システムで判断した。
【００９５】
【表２】
2018536066.tif 000018
【００９６】
実施例２から１１に記載された方法に従って調製されたポリマーをシャンプーシステムに取り込ませて、シャンプーシステムの物理的性質への影響およびヒトの毛髪表面への香りが付着する有効性を試験した。
【００９７】
【表３】
2018536066.tif 000019
LMA - ラウリルメタクリレート； HEPMA - ヒドロキシエチルピロリドンメタクリレート
【００９８】
前記実験および表３に示す結果に基づくと、最も強い香りの強度および最も長い持続時間を示す好ましい組成物は、600,000 を超えるオーダーの分子量を有し、LMA／ヒドロキシエチルピロリドンメタクリレートの比が 80/20 からなるものである。
【００９９】
LMA/HEPMA ポリマーを含む場合および含まない場合のシャンプーの配合
【０１００】
0.5 ％活性レベルで、80/20 比のラウリルメタクリレート／ヒドロキシエチルピロリドンメタクリレートのコポリマーを含むシャンプー、および他方はポリマーを含まない対照シャンプー、のように配合したシャンプーを調整した。配合または組成を、以下の表４に示す。  
【０１０１】
【表４】
2018536066.tif 000020
【０１０２】
相Ａを主容器に加えた。内容物をプロペラブレードで混合し、45 ℃に加熱した。相Ｂのコンディショニングポリマーを加え、均一になるまで混合する。温度を 45 ℃に維持した。 混合中と同様に、取り込ませている間に観察を行った。その後、相Ｃの実験的な疎水性ポリマーを添加し、均一になるまで混合した。温度を 45 ℃に維持し、次いで 25 から 30 ℃に冷却した。香料および相Ｄの塩化ナトリウムのような他の添加成分を 25 から 30 ℃で添加し、均一になるまで混合した。当初のpH、粘度およびバッチの物理的観察を記録した。
【０１０３】
香りの持続性を示すマネキン頭部の研究
【０１０４】
表３に記載の配合に従って調製したシャンプー（5 ml）を 37 ℃の水と混合し、これでマネキン頭髪を 1 から 2 分間処理した。髪から泡がなくなるまですすいだ。毛髪を風乾し、熟練した専門の香り評価者が、毛髪を乾燥させた後の当初、および種々の時間間隔後の両方において、香りの強度および香りの特徴を評価した。香りの特徴は、香りを評価する技術のトレーニングを受けている人などの、香りのブレンドに含まれる僅かな成分を識別できる人が判断する。 結果を以下の表に示す。
【０１０５】
【表５】
2018536066.tif 000021
【０１０６】
本出願のコポリマーを含む配合でシャンプーをする方が、コポリマーを含まない配合でシャンプーをするよりも、香りの強度、より重要なことに、香りの特徴がマネキンの頭に残った。これは、香りを髪に送達するのにポリマーが有効であるということのみならず、強度と特徴とを長く持続するように改良することにおいても、ポリマーが有効であることを示している。
【０１０７】
天然のダメージを受けていない毛髪で香りを送達することの評価
【０１０８】
以下の表６に示すように、異なる濃度でポリマー LMA/HEPMA およびコンディショニングポリマーを含むシャンプーの配合を調製した。
【０１０９】
【表６】
2018536066.tif 000022
【０１１０】
表６に従って調製した配合物をヒトの毛髪適用に供した。毛髪の材料見本を、6.5 インチの結んでいなくてダメージを受けていない自然な女性の長い髪の毛にシャンプー（1 cc）をすることによって調製する。シャンプーを 37 ℃で 1 分間洗浄し、30 秒間すすいだ。自然のダメージを受けていない毛髪からなる女性の長い髪について、訓練された香り評価者らが試験をした。次いで、髪を風乾し、香りの強さを 1 日または 8 時間にわたって評価する。次いで、髪を風乾し、香りの強さを 1 日または 8 時間にわたって評価する。４人の専門家パネリストのうち４人とも、当初と 8 時間の間との両方で同様に、強度差を識別することができ、香りの持続性に対して疎水性ポリマーの有効性が示された。結果を図２に図示する。
【０１１１】
他の香料を含む配合
【０１１２】
他の香料と供に使用した場合の疎水性ポリマーの相性、範囲を説明するために、ランの香料を他の香料で置き換えた。これらを下記表７に示す。
【０１１３】
【表７】
2018536066.tif 000023
【０１１４】
上記の配合は、毛髪の材料見本での髪の香り持続性試験において示された有効性と同様、物理的観点からも高い完成度を示した。
【０１１５】
他の分子量を有する LMA / HEPMA 80/20 を使用するシャンプーの配合：
【０１１６】
異なる分子量を有する LMA / HEPMA コポリマーを調製し、香料の付着について分析した。   
【０１１７】
【表８】
2018536066.tif 000024
【０１１８】
他の濃度での LMA/HEPMA 80/20 を使用したシャンプーの配合
【０１１９】
【表９】
2018536066.tif 000025
【０１２０】
他の香料について LMA/HEPMA 80/20 を使用するシャンプーの配合：
【表１０】
2018536066.tif 000026
【０１２１】
他の比率にした LMA / HEPMA を使用するシャンプーの配合
【０１２２】
【表１１】
2018536066.tif 000027
【０１２３】
LMA／ビニルピロリドン 80/20 を使用するシャンプーの配合
【０１２４】
HEPMA をビニルピロリドンに置き換えたコポリマーについて香りを送達することの試験を行った。
【０１２５】
【表１２】
2018536066.tif 000028
【０１２６】
LMA/VPコポリマーを含むシャンプーは、不透明な製品となり、香り評価試験における有効性が低下した。
【０１２７】
市販のコンディショニングポリマーを含むシャンプー
【０１２８】
市販されているほとんどのシャンプーシステムは、洗浄後の、湿った状態および乾燥状態での櫛入れ、および肌触りの属性を良くするために、１種または複数種のコンディショニングポリマーを含有している。 表１３から１６に示すように、好ましい疎水性ポリマーとの相性（すなわち、多くの一般的に市販されているカチオン性および両性タイプのポリマーであるコンディショニングポリマーと併せた高分子量の LMA/HEPMA 80/20）を決定するために一連の配合を作成した。これらのポリマーは、分子量、電荷密度およびポリマー骨格化学の全範囲分布を表す。シャンプーの物理的特性は、好ましい疎水性ポリマーがこれらの代表的なコンディショニングポリマーと相性が良いことを示している。
【０１２９】
【表１３】
2018536066.tif 000029
【０１３０】
【表１４】
2018536066.tif 000030
【０１３１】
【表１５】
2018536066.tif 000031
HPTC - ヒドロキシプロピルトリモニウムクロリド； APTAC - アクリルアミドプロピルトリモニウムクロリド
【０１３２】
配合のバリアント
【０１３３】
好ましい組成物（すなわちLMA/HEPMA）を、洗浄活性を低下させたシャンプーに添加して、より費用対効果の高い小売タイプのシャンプーでの相性を良くすべく、この化合物の多用途性を検討した。結果を表１６に示す。 予想通り、粘度は低くなったが、シャンプーの配合について知っている人ならば、増粘ポリマーのような添加成分を加えて、これを補完することができる。この結果は、洗浄活性を低下させた系との相性の良さを示している。
【０１３４】
【表１６】
2018536066.tif 000032
【０１３５】
疎水性ポリマーと他の香料との相性の良さに関する研究
【０１３６】
本出願のコポリマーを含む、または含まない場合に、香料化合物が効果的に送達されるかどうかを示すために実験を実施した。特に、1.0 ％のDMAPMA/MAポリマーを有するイソヘキサデカン中の 0.5 ％のLMA/ヒドロキシエチルピロリドンメタクリレートについて香りを送達する実験を行い、LMA/ヒドロキシエチルピロリドンメタクリレートコポリマーによって、中程度の強度で 8 時間持続して香りを送達することができることが観察された。コポリマーを含むサンプルについて、香りの送達は、シャンプーをしたばかりの当初段階でそのピークまたは強いレベルにあり、8 時間の経過時でも中程度レベルの香りの送達が維持された。一方、コポリマーを含まない対照サンプルでは、当初のレベルから 8 時間の経過時まで、コポリマーを含むサンプルと比較して有意に香りの送達が少なかった。さらに、コントロールサンプルは、4 から 8 時間の段階の間では、ほとんど知覚できないレベルの香りの送達しか示さなかったが、本願発明のコポリマーを含むサンプルは、4 から 8 時間の段階の間、中程度レベルの香りの送達を行うことができた（図１）。
【０１３７】
本発明を特定の好ましい実施形態を参照して詳細に説明したが、本発明はこれらの厳密な実施形態に限定されないことを理解されたい。むしろ、本開示を考慮して、本発明の範囲および趣旨から逸脱することなく、多くの修正および変形が当業者に示されるであろう。
【図１】
2018536066.tif 000035
【図２】
2018536066.tif 000036
【国際調査報告】
2018536066.tif 000037
2018536066.tif 000038
2018536066.tif 000039
2018536066.tif 000040